(57)【要約】【課題】簡易な構造であって、回転シリンダの周面を研磨することなく磁気ヘッドのみを研磨可能な磁気ヘッドの研磨装置を提供する。【解決手段】周面に磁気ヘッドＨを装着した回転シリンダＣを備え、磁気テープＭＴを回転シリンダＣの周面の一部に巻き付けて走行させる磁気テープドライブに使用される研磨装置であって、移動可能な研磨パッド２を備え、磁気テープＭＴと干渉しない所定位置に磁気ヘッドＨが位置したときに、研磨パッド２が所定位置に近接して磁気ヘッドＨに接触し、磁気ヘッドＨを研磨する構成とした。【選択図】  図１
2004164749.tif 000002
【特許請求の範囲】
【請求項１】
周面に磁気ヘッドを装着した回転シリンダを備え、磁気テープを前記回転シリンダの周面の一部に巻き付けて走行させる磁気テープドライブに使用される研磨装置であって、
移動可能な研磨パッドを備え、
前記磁気テープと干渉しない所定位置に前記磁気ヘッドが位置したときに、前記研磨パッドが前記所定位置に近接して前記磁気ヘッドに接触し、前記磁気ヘッドを研磨する構成としたことを特徴とする磁気ヘッドの研磨装置。
【発明の詳細な説明】
【０００１】
【発明の属する技術分野】
本発明は、ヘリカルスキャン方式の磁気テープドライブに使用される磁気ヘッドの研磨装置に関するものである。
【０００２】
【従来の技術】
ヘリカルスキャン方式の磁気テープドライブ（ビデオデッキ等）においては、磁気テープとの長期的な接触により、回転シリンダに装着された磁気ヘッドの表面に磁性粉が付着したり、或いは周囲の塵埃等が付着する場合がある。これら磁性粉や塵埃等の付着物が磁気ヘッドに付着すると再生信号に影響が出ることから、この付着物を除去する目的で、回転シリンダに研磨テープを接触させる技術が特許文献１に開示されている。
【０００３】
【特許文献１】
特開平５−２７２３号公報（第２頁、図１及び図２）
【０００４】
【発明が解決しようとする課題】
しかしながら、前記従来技術は研磨テープを利用した構成であるため、研磨テープの走行機構が必要となり、研磨装置として構造が複雑になるという問題があった。また、研磨テープの走行経路も確保しなければならず、ビデオデッキ等の狭隘な空間内においては、搭載スペースの点においても問題であった。
【０００５】
また、付着物の除去の問題とは別に、前記磁気ヘッドに関しては磨耗に関する問題もある。すなわち、磁気テープとの長期的な接触により磁気ヘッドが磨耗して、片減りするなどヘッド形状が次第に変化する場合があり、その結果、磁気テープと磁気ヘッドとの接触状態が初期設定の接触状態からずれてきて、出力される再生信号に関して出力平坦度の不良や出力低下といった不具合が生じるおそれがある。
【０００６】
この問題に対して、例えば前記特許文献１に開示された技術において、研磨テープの研磨材を硬質のものに変えることにより付着物の除去とともに磁気ヘッド自体も研磨する方法が考えられる。しかしながら、この場合、研磨テープは回転シリンダの回転中において、移動ステージを介して移動し、回転シリンダの周面に接触して磁気ヘッドを研磨する構成であることから、研磨テープが磁気ヘッドと共に回転シリンダの周面部をも研磨するおそれがある。回転シリンダの周面が研磨されると、それに巻き付く記録再生用の磁気テープ側に影響が出やすいので問題である。
【０００７】
磁気ヘッドは回転シリンダの周面から僅かながら突出しているため（通常３０μｍ程度）、理論的には磁気ヘッドのみを研磨することも可能であるが、前記移動ステージの取り付け誤差や走行している研磨テープの撓み等を考えると、前記従来技術において磁気ヘッドのみを研磨することは極めて難しい。
【０００８】
本発明は、以上のような問題を解決するために創作されたものであり、簡易な構造であって、回転シリンダの周面を研磨することなく磁気ヘッドのみを研磨可能な磁気ヘッドの研磨装置を提供することを目的としている。
【０００９】
【課題を解決するための手段】
本発明は前記課題を解決するために、周面に磁気ヘッドを装着した回転シリンダを備え、磁気テープを前記回転シリンダの周面の一部に巻き付けて走行させる磁気テープドライブに使用される研磨装置であって、移動可能な研磨パッドを備え、前記磁気テープと干渉しない所定位置に前記磁気ヘッドが位置したときに、前記研磨パッドが前記所定位置に近接して前記磁気ヘッドに接触し、前記磁気ヘッドを研磨する構成とした。
【００１０】
当該構成によれば、磁気ヘッドが所定位置に位置したときにのみ研磨パッドが近接するため、回転シリンダの周面が研磨されることがない。したがって、回転シリンダの損傷防止及び回転シリンダに巻き付く磁気テープへの影響を回避できる。また、研磨テープを使用せず、小片の研磨パッドを移動させる構成で済むことから、研磨テープの走行機構等の複雑な機構を要せず、簡易で且つコンパクトな研磨装置となる。
【００１１】
【発明の実施の形態】
以下、本発明について図面を参照しながら説明する。図１において、回転シリンダＣの周面には磁気ヘッドＨが装着されており、磁気テープＭＴはガイドピンＧを介して回転シリンダＣの周面の一部に巻きつき、回転シリンダＣの回転方向と逆方向に走行する。
【００１２】
本発明に係る磁気ヘッドの研磨装置１は、移動可能な研磨パッド２を備えており、回転シリンダＣの回転中において、磁気テープＭＴと干渉しない所定位置Ｐに磁気ヘッドＨが位置したときに、研磨パッド２が前記所定位置Ｐに近接して磁気ヘッドＨに接触し、磁気ヘッドＨを研磨する構成となっている。
【００１３】
その一構成例を説明すると、研磨パッド２は例えば移動支持部材３に取り付けられる。移動支持部材３は、回転シリンダＣの径方向に往復直線移動可能に構成され、回転シリンダＣの回転、つまり磁気ヘッドＨの回転に同期して繰り返し往復移動する。その移動距離は僅かであるため、移動支持部材３の駆動源としては電磁ソレノイド等が適している。同期方法としては、回転シリンダＣの回転数に関する信号を利用する等である。
【００１４】
研磨パッド２としては、酸化アルミニウム、炭化ケイ素、クロミア、シリカ、アルミナジルコニア、ダイヤモンド、酸化鉄、酸化セリウム、立方体窒化ホウ素、ホウ素炭化物、ざくろ石、及びこれらを組み合わせた材料からなる研磨材が適している。特に、フジミコーポレーション製の「白色酸化アルミニウム」が好適である。
【００１５】
図２は研磨装置１の作用説明図である。（ａ）の状態は、磁気ヘッドＨが所定位置Ｐに達する前の状態を示し、このとき移動支持部材３は回転シリンダＣの径方向の外側寄りに位置している。符号４は磁気ヘッドＨの先端部の回転軌跡を示しており、（ａ）の状態では研磨パッド２の先端はこの回転軌跡４の外側に位置している。なお、回転シリンダＣの周面と回転軌跡４との寸法、つまり回転シリンダＣからの磁気ヘッドＨの突出寸法Ｌ１は通常、数十μｍ程度である。
【００１６】
そして、（ｂ）に示すように、磁気ヘッドＨが所定位置Ｐに位置したとき、具体的には、磁気ヘッドＨの一方の端部Ｈａが所定位置Ｐのエリア内に到達した時点で、移動支持部材３が前進することにより、研磨パッド２が磁気ヘッドＨの先端に接触し、磁気ヘッドＨの表面に付着した付着物を除去するとともに、磁気ヘッドＨの表面を研磨する。
【００１７】
磁気ヘッドＨの全表面を均一に研磨するべく、（ｃ）、（ｄ）に示すように、磁気ヘッドＨが所定位置Ｐのエリア内に位置している間、研磨パッド２による研磨が行われ、磁気ヘッドＨの他方の端部Ｈｂが所定位置Ｐのエリアから離れると、移動支持部材３が後退し、研磨パッド２は回転軌跡４から十分に離れた位置に待機する（（ｅ）の状態）。以上の（ａ）〜（ｅ）の動作が所定時間内において繰り返されることで、磁気ヘッドＨの研磨がなされる。これにより、片減りや凹凸などヘッドの異形状が矯正され、出力される再生信号に関して出力平坦度の不良や出力低下といった不具合が防止される。
【００１８】
以上のように、磁気テープＭＴと干渉しない所定位置Ｐに磁気ヘッドＨが位置したときにのみ、研磨パッド２が前記所定位置Ｐに近接して磁気ヘッドＨに接触し、磁気ヘッドＨを研磨する構成とすれば、回転シリンダＣの周面を研磨することなく磁気ヘッドＨのみを確実に研磨できるので、回転シリンダＣの損傷防止及び回転シリンダＣに巻き付く磁気テープＭＴへの影響を回避できる。
【００１９】
また、研磨テープを使用せず、小片の研磨パッド２を移動させる構成で済むことから、研磨テープの走行機構等の複雑な機構を要せず、簡易で且つコンパクトな研磨装置１となる。
【００２０】
なお、以上の研磨装置１を作動させるタイミングについては種々の態様が可能である。例えば、磁気テープドライブ全体の稼働積算時間に対応させても良いし（例として、１００時間おきに自動的に作動させる等）、また、磁気ヘッドＨからの再生信号の出力低下等を目安として自動的に作動させるようにしても良い。さらに、別途にスイッチを設けて、使用者がマニュアルで研磨装置１を作動させることも可能である。
【００２１】
さて、研磨パッド２の移動態様については、前記した直線移動の他に回転移動させることもできる。例えば、図３に示すように、回転体５に研磨パッド２を取り付け、回転体５を回転シリンダＣの回転に同期させて、回転シリンダＣの回転方向と逆方向に回転させることにより、図３（ｂ）〜（ｄ）に示すように、磁気ヘッドＨが所定位置Ｐのエリア内に位置しているときにのみ、研磨パッド２を近接させ、磁気ヘッドＨのみを研磨することができる。当該例においても、研磨テープの走行機構等の複雑な機構を要せず、簡易で且つコンパクトな研磨装置１となる。
【００２２】
以上、本発明について好適な実施形態を説明したが、各構成要素に関するレイアウトや形状、個数等は図面に記載したものに限定されることなく、その趣旨を逸脱しない範囲で適宜に設計変更が可能である。
【００２３】
【発明の効果】
本発明によれば、回転シリンダの周面を研磨することなく磁気ヘッドのみを確実に研磨できるので、回転シリンダの損傷防止及び回転シリンダに巻き付く磁気テープへの影響を回避できる。また、研磨テープを使用せず、小片の研磨パッドを移動させる構成で済むことから、研磨テープの走行機構等の複雑な機構を要せず、簡易で且つコンパクトな研磨装置となる。
【図面の簡単な説明】
【図１】本発明に係る磁気テープの研磨装置を示す外観斜視図である。
【図２】磁気テープの研磨装置の作用説明図である。
【図３】磁気テープの研磨装置の他の実施例における作用説明図である。
【符号の説明】
Ｃ      回転シリンダ
Ｈ      磁気ヘッド
ＭＴ      磁気テープ
１      磁気テープの研磨装置
２      研磨パッド
３      移動支持部材
【図１】
2004164749.tif 000003
【図２】
2004164749.tif 000004
【図３】
2004164749.tif 000005